(57)【要約】音声信号に背景雑音が混入された入力信号から背景雑音を除去して、出力信号を出力する背景雑音キャンセリング装置は、背景雑音として予測可能な背景雑音を、その予測可能な背景雑音に同期用信号を重畳した状態で、格納した背景雑音として、予め格納する格納手段と、この格納手段から格納した背景雑音を読み出し、その読み出した背景雑音と入力信号との相関を取り、同期用信号を用いて同期を確立して、想定雑音を出力する推定手段と、入力信号から想定雑音を除去して、除去された音声信号を出力する減算手段と、を含む。
2011129421.tif 000002
【特許請求の範囲】
【請求項１】
音声信号に背景雑音が混入された入力信号から前記背景雑音を除去して、出力信号を出力する背景雑音キャンセリング装置であって、
前記背景雑音として予測可能な背景雑音を、該予測可能な背景雑音に同期用信号を重畳した状態で、格納した背景雑音として、予め格納する格納手段と、
該格納手段から前記格納した背景雑音を読み出し、該読み出した背景雑音と前記入力信号との相関を取り、前記同期用信号を用いて同期を確立して、想定雑音を出力する推定手段と、
前記入力信号から前記想定雑音を除去して、除去された音声信号を出力する減算手段と、
を有する背景雑音キャンセリング装置。
【請求項２】
前記除去された音声信号に非線形処理を施して前記出力信号を出力する非線形処理手段を更に備える、請求項１に記載の背景雑音キャンセリング装置。
【請求項３】
前記推定手段は、前記除去された音声信号に基いて、前記想定雑音の振幅を調整する、請求項１又は２に記載の背景雑音キャンセリング装置。
【請求項４】
前記予測可能な背景雑音が、特定のエリアにて共通に流れる音声から成る、請求項１乃至３のいずれか１つに記載の背景雑音キャンセリング装置。
【請求項５】
前記特定のエリアにて共通に流れる音声が、構内放送、時報、および定時放送の少なくとも１つを含む、請求項４に記載の背景雑音キャンセリング装置。
【請求項６】
前記同期用信号が擬似雑音から成る、請求項１乃至５のいずれか１つに記載の背景雑音キャンセリング装置。
【請求項７】
前記推定手段は、前記読み出した背景雑音をバンドパスフィルタを通過させることにより、前記擬似雑音を取り出して前記同期を確立することを特徴とする、請求項６に記載の背景雑音キャンセリング装置。
【請求項８】
エコーキャンセラを更に備える、請求項１乃至７のいずれか１項に記載の背景雑音キャンセリング装置。
【請求項９】
請求項１乃至８のいずれか１つに記載の背景雑音キャンセリング装置を備えた、構内交換機。
【請求項１０】
請求項１乃至８のいずれか１つに記載の背景雑音キャンセリング装置を備えた、端末装置。
【請求項１１】
請求項１乃至８のいずれか１項に記載の背景雑音キャンセリング装置を備えた、ＭＧＷ装置。
【請求項１２】
音声信号に背景雑音が混入された入力信号から前記背景雑音を除去して、出力信号を出力する背景雑音キャンセリング方法であって、
前記背景雑音として予測可能な背景雑音を、該予測可能な背景雑音に同期用信号を重畳した状態で、格納手段に、格納した背景雑音として予め格納する格納ステップと、
該格納手段から前記格納した背景雑音を読み出し、該読み出した背景雑音と前記入力信号との相関を取り、前記同期用信号を用いて同期を確立して、想定雑音を出力する推定ステップと、
前記入力信号から前記想定雑音を除去して、除去された音声信号を出力する除去ステップと、
を含む背景雑音キャンセリング方法。
【請求項１３】
前記除去された音声信号に非線形処理を施して前記出力信号を出力するステップを更に備える、請求項１２に記載の背景雑音キャンセリング方法。
【請求項１４】
前記推定ステップは、前記除去された音声信号に基いて、前記想定雑音の振幅を調整する、請求項１２又は１３に記載の背景雑音キャンセリング方法。
【請求項１５】
前記予測可能な背景雑音が、特定のエリアにて共通に流れる音声から成る、請求項１２乃至１４のいずれか１項に記載の背景雑音キャンセリング方法。
【請求項１６】
前記特定のエリアにて共通に流れる音声が、構内放送、時報、および定時放送の少なくとも１つを含む、請求項１５に記載の背景雑音キャンセリング方法。
【請求項１７】
前記同期用信号が擬似雑音から成る、請求項１２乃至１６のいずれか１つに記載の背景雑音キャンセリング方法。
【請求項１８】
前記推定ステップは、前記読み出した背景雑音をバンドパスフィルタを通過させることにより、前記擬似雑音を取り出して前記同期を確立することを特徴とする、請求項１７に記載の背景雑音キャンセリング方法。
【発明の詳細な説明】
【技術分野】
【０００１】
本発明は、音声処理技術に関し、特に、背景雑音を除去する背景雑音キャンセリング装置および方法に関する。
【背景技術】
【０００２】
従来の交換機においては、エコーキャンセラなどによるエコーの雑音の処理技術は存在している。すなわち、従来の交換機は、他網からの下り方向の音声信号からエコーを除去する機能を有している。
しかしながら、網に入力された時点で存在した背景雑音を、交換機において処理することはできなかった。換言すれば、従来の交換機には、上り信号から背景雑音を除去する機能はない。これは、上り信号をエコー予測に利用するエコーキャンセラと違い、上り信号の背景雑音を予測する手段がないためである。
交換機に接続された端末によって、存在する環境に差分があるため、全ての背景雑音を除去することは原理的に不可能である。しかしながら、背景雑音の中には、構内放送、時報等の想定がしやすい背景雑音は除去できる可能性がある。構内放送で流される背景音は話者の声よりも大きい可能性があるので、音質の向上のためにはその背景音を除去することが望ましい。特に、構内放送で流される情報は、社外秘の情報である可能性もあるため、秘匿性を保つためにも背景雑音の音質面以外でも望ましい。
上りの音声信号から背景雑音を抑制、除去する手法として、次のものが挙げられる。第１の手法は、端末にて指向性の高いマイクを利用して、背景雑音の混入を抑制する手法である。第２の手法は、マイクをアレイ状に並べることにより複数のマイク入力に演算を加えることで、背景雑音を除去する手法である。第３の手法は、アクティブノイズキャンセラを利用して、背景雑音を除去する手法である。
上述した第１乃至第３の手法のいずれも、専用のソフトウェア（ＳＷ）／ハードウェア（ＨＷ）が必要となり、既存の端末はその恩恵を受けることができない。このように、端末にて背景雑音を除去する手法は存在するが、既存端末の音質を向上させるためには網側での処理が必要になる。
背景雑音が混入した場合、下記のような影響が考えられる。
・話者以外の音声が混入するため、音声の品質が低下する。
・構内放送などで企業秘情報が流れていた場合、情報漏えいにつながる可能性がある。
・構内放送などで話者の場所が特定される可能性があるなどの情報漏えいの可能性がある。
一方、背景雑音を除去する先行技術文献も種々知られている。
例えば、特開平８−１３０５１３号公報（対応米国特許第５，７１７，７２４号明細書）（以下、「特許文献１」と呼ぶ。）は、音声に雑音が重畳した信号を符号化する際に、雑音の影響を防止して、質の高い符号化処理を行える技術を開示している。特許文献１に開示された符号化システムは、雑音重畳区間検出手段、逆フィルタ手段、雑音除去手段、ピッチ周期検出手段、及び音声符号化手段を備えている。雑音重畳区間検出手段は、音声に雑音が重畳した雑音重畳区間を識別する。逆フィルタ手段は、雑音重畳区間を線形予測分析した線形予測係数を求めて、予測残差信号を出力する。雑音除去手段は、この予測残差信号から雑音部分を除去する。ピッチ周期検出手段は、雑音除去手段から出力される残差信号の自己相関関数を求め、この自己損間関数が最大となるピッチ周期を検出する。音声符号化手段は、ピッチ周期検出手段が検出したピッチ周期に基いて雑音重畳区間の波形を符号化する。
特許文献１は、背景雑音を予測して、ピッチ周期に基づいて雑音重畳区間の波形を符号化する符号化システムを開示しているに過ぎない。
また、特開２００６−１７１０７７号公報（以下、「特許文献２」と呼ぶ。）は、カーナビのガイダンス音声等の音声が背景に存在する場合、この背景音を除去することが出来、使用者の発話内容の明瞭度を向上することが出来、より効果的な認識を行うことが出来る音声認識装置を開示している。特許文献２において、ガイダンス音声信号が既知である音声認識装置は、音入力手段と、音声認識手段と、制御手段と、記憶手段と、除去手段とを備える。記憶手段はカーナビの案内音声や警報音を事前に登録する。制御手段は、カーナビのガイダンス音声信号あるいは警報音等である外部信号の内容に基いて、抽出信号を記憶手段へ送出する。除去手段は、音声認識手段から得られた第１の認識信号および記憶手段から得られた第２の認識信号について、２つの信号の内容が一致する認識候補を第１の認識信号から除去し、残りの認識候補を最終的な認識信号として車載機器の制御用信号として出力する。
特許文献２は、使用者の発話と背景音としてガイダンス音声が混在した入力音声信号から、記憶装置に登録しているガイダンス音声信号を抽出し、減算して背景音声信号を除去する方法を開示している。しかしながら、特許文献２では、なんらの同期も取っていないので、リアルタイムに処理することはできない。
【発明の概要】
【発明が解決しようとする課題】
【０００３】
本発明の代表的な目的は、同一のエリア（交換機）配下で利用されている端末において共通して発生している可能性のある、構内放送、時報、定時放送のようなアナウンスメント等の背景雑音を、入力信号から高精度にリアルタイムに除去することができる、背景雑音キャンセリング装置および方法を提供することにある。
【課題を解決するための手段】
【０００４】
本発明の背景雑音キャンセリング装置は、音声信号に背景雑音が混入された入力信号から背景雑音を除去して、出力信号を出力する背景雑音キャンセリング装置であって、背景雑音として予測可能な背景雑音を、その予測可能な背景雑音に同期用信号を重畳した状態で、格納した背景雑音として、格納する格納手段と、この格納手段から格納した背景雑音を読み出した背景雑音と入力信号との相関を取り、同期用信号を用いて同期を確立して、想定雑音を出力する推定手段と、入力信号から想定雑音を除去して、除去された音声信号を出力する減算手段と、を有する。
本発明の背景雑音キャンセリング方法は、音声信号に背景雑音が混入された入力信号から背景雑音を除去して、出力信号を出力する背景雑音キャンセリング方法であって、背景雑音として予測可能な背景雑音を、その予測可能な背景雑音に同期用信号を重畳した状態で、格納手段に、格納した背景雑音として格納する格納ステップと、この格納手段から格納した背景雑音を読み出した背景雑音と入力信号との相関を取り、同期用信号を用いて同期を確立して、想定雑音を出力する推定ステップと、入力信号から想定雑音を除去して、除去された音声信号を出力する除去ステップと、を含む。
【発明の効果】
【０００５】
本発明に係る背景雑音キャンセリング装置は、同一のエリアで共通的に流れている背景雑音を、同期用信号を重畳させた状態で、あらかじめ記憶しておくことによって、高精度でリアルタイムに背景雑音を想定、除去することが可能となる。
【図面の簡単な説明】
【０００６】
図１は本発明の第１の実施例に係る背景雑音キャンセリング装置が適用される通信システムを示す概略ブロック図である。
図２は本発明の第１の実施例に係る背景雑音キャンセリング装置を示すブロック図である。
図３は本発明の第２の実施例に係る背景雑音キャンセリング装置が適用される通信システムを示す概略ブロック図である。
図４は本発明の第３の実施例に係る背景雑音キャンセリング装置が適用される通信システムを示す概略ブロック図である。
【発明を実施するための形態】
【０００７】
以下、本発明の実施の形態について、詳細に説明する。
本発明の概略について説明する。
交換機に入力される信号に対して、その交換機配下で共通して流れている音声（背景雑音）をアナウンスメントデータ格納部に入れる。そして、アナウンスメント推定器にて、入力信号とアナウンスメントデータ格納部に格納されたアナウンスメント信号との相関を取り、想定雑音を算出する。その後、減算器にて、入力信号から想定雑音の除去を行う。減算器の出力もアナウンスメント推定器へフィードバックされ、想定雑音の振幅調整などに利用する。
また、構内放送、時報などの背景雑音に擬似雑音を付加して再生することにより、端末から入力される入力信号とアナウンスメントデータ格納部に格納される信号に同期信号が載ることになるので、アナウンスメント推定器および減算器にて背景雑音の同期を取ることが可能である。時間同期が取れているため、高精度でリアルタイムに背景雑音の除去が可能である。
【実施例１】
【０００８】
図１および図２を参照して、本発明の第１の実施例に係る背景雑音キャンセリング装置について説明する。図１は、本発明に係る背景雑音キャンセリング装置が適用される通信システム１００を示す概略ブロック図である。図２は、本発明の第１の実施例に係る背景雑音キャンセリング装置１０を示すブロック図である。
図１に示されるように、通信システム１００は、端末装置１２０と、構内交換機（ＰＢＸ）１４０と、交換網１６０とを備えている。端末装置１２０で混入してしまった背景雑音のうち既知のものをＰＢＸ１４０で削除する。この背景雑音を除去されたものが交換網１６０へと抜けていく。その為に、ＰＢＸ１４０は、図２に示すような、背景雑音キャンセリング装置１０を備えている。
図２に示されるように、背景雑音キャンセリング装置１０は、上り方向の背景雑音をキャンセルするための背景雑音キャンセラ１０Ａと、下り方向のエコーをキャンセルするためのエコーキャンセラ１０Ｂとを備えている。
背景雑音キャンセラ１０Ａは、アナウンスメントデータ格納部１１と、アナウンスメント推定器１２と、第１の減算器１３と、第１の非線形プロセッサ１４とから構成されている。
前述したように、端末装置１２０からの入力信号は、音声信号に背景雑音を含んだ形で、ＰＢＸ１４０に入力される。構内放送、時報、定時放送などの予測可能な背景雑音（アナウンスメント）は、アナウンスメントデータ格納部１１に、格納した背景雑音として、予め入力（格納）される。アナウンスメント推定器１２は、このアナウンスメントデータ格納部１１に格納された背景雑音を読み出し、この読み出した背景雑音と端末装置１２０からの入力信号とを比較し（との相関を取り）、想定雑音を算出し出力する。この時、背景雑音に擬似雑音（ｐｓｅｕｄｏ  ｎｏｉｓｅ）が乗せられた場合、バンドパスフィルタ（ＢＰＦ）を利用することで、入力信号とアナウンスデータ格納部１１の信号との間で時間的な同期を取ることが可能である。
詳述すると、擬似雑音（ｐｓｅｕｄｏ  ｎｏｉｓｅ）は擬似的に発生させた雑音であるため、自身でその周波数帯域パターンを作成することが可能である。従って、同期用に利用したい帯域にあるパターン（擬似雑音）を入力し、それを後ほどＢＰＦで抽出すれば、同期用信号を取り出すことができる。
このように、想定雑音と入力信号との時間同期が完全に取れるため、第１の減算器１３では時間ずれ無しで（リアルタイムに）、入力信号から想定雑音の除去を行うことができる。雑音を除去された音声信号は、非線形プロセッサ１４を通り、交換網１６０（図１）へと出力される。
すなわち、本実施例に係る背景雑音キャンセリング装置（１０）は、音声信号に背景雑音が混入された入力信号から背景雑音を除去して、出力信号を出力する背景雑音キャンセリング装置であって、背景雑音として予測可能な背景雑音を、この予測可能な背景雑音に同期用信号を重畳した状態で、格納した背景雑音として、予め格納する格納手段（１１）と、この格納手段（１１）から格納した背景雑音を読み出し、その読み出した背景雑音と入力信号との相関を取り、同期用信号を用いて同期を確立して、想定雑音を出力する推定手段（１２）と、入力信号から想定雑音を除去して、除去された音声信号を出力する減算手段（１３）と、を有して構成される。
また、上記実施例において、背景雑音キャンセリング装置（１０）は、除去された音声信号に非線形処理を施して出力信号を出力する非線形処理手段（１４）を更に備える。推定手段（１２）は、除去された音声信号に基いて、想定雑音の振幅を調整する。予測可能な背景雑音は、特定のエリアにて共通に流れる音声から成る。特定のエリアにて共通に流れる音声が、構内放送、時報、および定時放送の少なくとも１つを含む。同期用信号は、擬似雑音から成る。推定手段（１２）は、読み出した背景雑音をバンドパスフィルタ（ＢＰＦ）を通過させることにより、擬似雑音を取り出して同期を確立する。
第１の減算器１３の入力信号は、端末装置１２０からの背景雑音を含む音声信号であるが、あるエリア（例えば構内等）で流れる放送等の一部の背景雑音は、ある程度予測が可能である。この予測可能な背景雑音（アナウンスメント）を、アナウンスメントデータ格納部１１に入力し、アナウンスメント推定器１２で端末装置１２０からの入力信号との相関をとり、第１の減算器１３にて入力信号から背景雑音（想定雑音）の除去を行う。また、第１の減算器１３から出力される、除去された音声信号は、アナウンスメント推定器１２に、フィードバックされ、入力信号に含まれた雑音成分を分析する。
エコーと違い、入力される背景雑音の予測が容易なため、第１の減算器１３にて、高い精度でリアルタイムに背景雑音（想定雑音）が除去可能である。
一方、エコーキャンセラ１０Ｂは、通常のエコーキャンセラから構成される。すなわち、エコーキャンセラ１０Ｂは、エコー推定器１５と、第２の減算器１６と、第２の非線形プロセッサ１７とから構成される。
第２の減算器１６および第２の非線形プロセッサ１７の動作と、第１の減算器１３および第１の非線形プロセッサ１４の動作との間に差分はない。エコー推定器１５とアナウンスメント推定器１２の動作原理は実質的に同じであり、擬似雑音（ｐｓｅｕｄｏ  ｎｏｉｓｅ）がない場合の差分は、入力される信号の基点である。
エコー推定器１５と異なり、アナウンスメント推定器１２には、擬似雑音（ｐｓｅｕｄｏ  ｎｏｉｓｅ）が存在する場合、アナウンスメントデータ格納部１１に格納されていた背景雑音と入力信号との両方にバンドパスフィルタ（ＢＰＦ）をかけ、時間軸を一致させる動作が追加される。
次に、本発明の第１の実施例の効果について説明する。
第１の実施例の効果は、予測可能な背景雑音を入力信号から高精度でリアルタイムに除去することが可能であることである。なぜなら、特定のエリアで共通に流れている背景雑音（予測可能な背景雑音）を、擬似雑音のような同期用信号を重畳した状態で、アナウンスメントデータ格納部１１に予め記憶しておき、アナウンスメント推定器１２が、入力信号とアナウンスメントデータ格納部１１から読み出した背景雑音との相関を取り、上記同期用信号に基いて同期を確立して、想定雑音を出力しているからである。
なお、本発明は上記第１の実施例に限定されるものではなく、例えばインターネットプロトコル（ＩＰ）網であればメディアゲートウェイ（ＭＧＷ）装置、端末装置にＩＰ上で動作する同様の仕組みを設けることによって実現が可能である。
また、全国的に発生している背景雑音であれば、複数の交換機に同じ背景雑音の情報を予めインプット（格納）することによって、簡単に規模を拡大することが可能である。
【実施例２】
【０００９】
図３を参照して、本発明の第２の実施例に係る背景雑音キャンセリング装置が適用される通信システム１００Ａについて説明する。
図示の通信システム１００Ａは、第１の端末装置１２０と第２の端末装置１７０とから構成され、それらは通信回線で接続されている。
この通信システム１００Ａでは、端末装置１２０、１７０同士が直接やり取りを行うため、背景雑音を削除する動作を端末装置で行う必要がある。
そこで、第１の端末装置１２０に、図２に図示した背景雑音キャンセリング装置１０を搭載している。
【実施例３】
【００１０】
図４を参照して、本発明の第３の実施例に係る背景雑音キャンセリング装置が適用される通信システム１００Ｂについて説明する。
図示の通信システム１００Ｂは、端末装置１２０と、ＭＧＷ装置１４０Ａと、交換網／ＩＰ網１６０とを備えている。
ここで、ＭＧＷ装置１４０Ａは、音声処理を行う装置のことで、例えばコーデック（Ｇ．７１１、ＡＭＲ、ＥＶＲなど）の変換、エコーの除去、音量の調節を行う。また、ＭＧＷ装置１４０Ａは、交換網やＩＰ網へのインタフェースも具備している場合が多く、インタフェース変換も行う。
端末装置１２０で混入してしまった背景雑音のうち既知のものをＭＧＷ装置１４０Ａで削除する。この背景雑音を除去されたものが交換網／ＩＰ網１６０Ａへと抜けていく。その為に、ＭＧＷ装置１４０Ａは、図２に示すような、背景雑音キャンセリング装置１０を備えている。
ここで、構内装置のＰＢＸ１４０と違い、ＭＧＷ装置１４０Ａは公共のネットワーク上に存在するので、より広範囲の背景雑音を除去することが可能である。
以上、実施形態を参照して本発明を説明したが、本発明は上記実施形態に限定されるものではない。本発明の構成や詳細には、本発明のスコープ内で当業者が理解し得る様々な変更をすることができる。
上記の実施形態の一部又は全部は、以下の付記のようにも記載されうるが、以下には限定されない。
（付記１）音声信号に背景雑音が混入された入力信号から前記背景雑音を除去して、出力信号を出力する背景雑音キャンセリング装置であって、
前記背景雑音として予測可能な背景雑音を、該予測可能な背景雑音に同期用信号を重畳した状態で、格納した背景雑音として、予め格納する格納手段と、
該格納手段から前記格納した背景雑音を読み出し、該読み出した背景雑音と前記入力信号との相関を取り、前記同期用信号を用いて同期を確立して、想定雑音を出力する推定手段と、
前記入力信号から前記想定雑音を除去して、除去された音声信号を出力する減算手段と、
を有する背景雑音キャンセリング装置。
（付記２）前記除去された音声信号に非線形処理を施して前記出力信号を出力する非線形処理手段を更に備える、付記１に記載の背景雑音キャンセリング装置。
（付記３）前記推定手段は、前記除去された音声信号に基いて、前記想定雑音の振幅を調整する、付記１又は２に記載の背景雑音キャンセリング装置。
（付記４）前記予測可能な背景雑音が、特定のエリアにて共通に流れる音声から成る、付記１乃至３のいずれか１つに記載の背景雑音キャンセリング装置。
（付記５）前記特定のエリアにて共通に流れる音声が、構内放送、時報、および定時放送の少なくとも１つを含む、付記４に記載の背景雑音キャンセリング装置。
（付記６）前記同期用信号が擬似雑音から成る、付記１乃至５のいずれか１つに記載の背景雑音キャンセリング装置。
（付記７）前記推定手段は、前記読み出した背景雑音をバンドパスフィルタを通過させることにより、前記擬似雑音を取り出して前記同期を確立することを特徴とする、付記６に記載の背景雑音キャンセリング装置。
（付記８）エコーキャンセラを更に備える、付記１乃至７のいずれか１項に記載の背景雑音キャンセリング装置。
（付記９）付記１乃至８のいずれか１つに記載の背景雑音キャンセリング装置を備えた、構内交換機。
（付記１０）付記１乃至８のいずれか１つに記載の背景雑音キャンセリング装置を備えた、端末装置。
（付記１１）付記１乃至８のいずれか１項に記載の背景雑音キャンセリング装置を備えた、ＭＧＷ装置。
（付記１２）音声信号に背景雑音が混入された入力信号から前記背景雑音を除去して、出力信号を出力する背景雑音キャンセリング方法であって、
前記背景雑音として予測可能な背景雑音を、該予測可能な背景雑音に同期用信号を重畳した状態で、格納手段に、格納した背景雑音として予め格納する格納ステップと、
該格納手段から前記格納した背景雑音を読み出し、該読み出した背景雑音と前記入力信号との相関を取り、前記同期用信号を用いて同期を確立して、想定雑音を出力する推定ステップと、
前記入力信号から前記想定雑音を除去して、除去された音声信号を出力する除去ステップと、
を含む背景雑音キャンセリング方法。
（付記１３）前記除去された音声信号に非線形処理を施して前記出力信号を出力するステップを更に備える、付記１２に記載の背景雑音キャンセリング方法。
（付記１４）前記推定ステップは、前記除去された音声信号に基いて、前記想定雑音の振幅を調整する、付記１２又は１３に記載の背景雑音キャンセリング方法。
（付記１５）前記予測可能な背景雑音が、特定のエリアにて共通に流れる音声から成る、付記１２乃至１４のいずれか１項に記載の背景雑音キャンセリング方法。
（付記１６）前記特定のエリアにて共通に流れる音声が、構内放送、時報、および定時放送の少なくとも１つを含む、付記１５に記載の背景雑音キャンセリング方法。
（付記１７）前記同期用信号が擬似雑音から成る、付記１２乃至１６のいずれか１つに記載の背景雑音キャンセリング方法。
（付記１８）前記推定ステップは、前記読み出した背景雑音をバンドパスフィルタを通過させることにより、前記擬似雑音を取り出して前記同期を確立することを特徴とする、付記１７に記載の背景雑音キャンセリング方法。
【産業上の利用可能性】
【００１１】
本発明は、特定のエリアにて共通して流れる音声（構内放送、時報、定時放送等）の網側手動処理に利用され得る。
この出願は、２０１０年４月１３日に出願された日本出願特願第２０１０−０９１８６４号を基礎とする優先権を主張し、その開示のすべてをここに取り込む。
【符号の説明】
【００１２】
１０  ・・・  背景雑音キャンセリング装置
１０Ａ  ・・・  背景雑音キャンセラ
１０Ｂ  ・・・  エコーキャンセラ
１１  ・・・  アナウンスメントデータ格納部
１２  ・・・  アナウンスメント推定器
１３  ・・・  第１の減算器
１４  ・・・  第１の非線形プロセッサ
１５  ・・・  エコー推定器
１６  ・・・  第２の減算器
１７  ・・・  第２の非線形プロセッサ
１００、１００Ａ、１００Ｂ  ・・・  通信システム
１２０、１７０  ・・・  端末装置
１４０  ・・・  構内交換機（ＰＢＸ）
１４０Ａ  ・・・  ＭＧＷ装置
１６０  ・・・  交換網
１６０Ａ  ・・・  交換網／ＩＰ網
【図１】
2011129421.tif 000003
【図２】
2011129421.tif 000004
【図３】
2011129421.tif 000005
【図４】
2011129421.tif 000006
【国際調査報告】
2011129421.tif 000007
2011129421.tif 000008
2011129421.tif 000009
2011129421.tif 000010